(57)【特許請求の範囲】
【請求項１】
移動局であって、
前記移動局のサービングセルを管理する無線基地局からの指示に基づいて、ＣＲＳ（Ｃｅｌｌ  ｓｐｅｃｉｆｉｃ  Ｒｅｆｅｒｅｎｃｅ  Ｓｉｇｎａｌ）を用いて、該サービングセル及び周辺セルにおける第１無線品質を測定し、ＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を用いて、マルチポイント協調送受信処理の対象候補である送信ポイントにおける第２無線品質を測定するように構成されている測定部と、
前記第１無線品質の測定結果に加えて、前記第２無線品質の測定結果を含む測定報告を送信するように構成されている送信部とを具備することを特徴とする移動局。
【請求項２】
前記測定部は、前記無線基地局からの指示に基づいて、前記ＣＲＳを用いて、キャリアアグリゲーションにおけるＳｃｅｌｌにおける第３無線品質を測定するように構成されており、
前記送信部は、前記第１無線品質の測定結果及び前記第２無線品質の測定結果に加えて、前記第３無線品質の測定結果を含む測定報告を送信するように構成されていることを特徴とする請求項１に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ、マルチポイント協調）送受信処理を適用することについて検討されている。
【０００３】
かかるＣｏＭＰ送受信処理は、地理的に離れた複数の送受信ノード（ＣｏＭＰ用送信ポイント）の間で、例えば、無線基地局ｅＮＢや基地局用無線装置ＲＲＥ（Ｒｅｍｏｔｅ  Ｒａｄｉｏ  Ｅｑｕｉｐｍｅｎｔ）やリレーノードＲＮ等の間で、共有データチャネル信号の送受信やスケジューリングやビームフォーミング等を協調制御する処理である。
【先行技術文献】
【非特許文献】
【０００４】
【非特許文献１】３ＧＰＰ  ＴＲ３６.８１９
【発明の概要】
【発明が解決しようとする課題】
【０００５】
しかしながら、現在のＬＴＥ方式では、かかるＣｏＭＰ送受信処理を開始するか否かについての判定方法が規定されていないという問題点があった。
【０００６】
そこで、本発明は、上述の課題に鑑みてなされたものであり、ＣｏＭＰ送受信処理を開始するか否かについての判定を適切に行うための仕組みを提供する移動局を提供することを目的とする。
【課題を解決するための手段】
【０００７】
本発明の第１の特徴は、移動局であって、前記移動局のサービングセルを管理する無線基地局からの指示に基づいて、各セル用の参照符号を用いて、該サービングセル及び周辺セルにおける第１無線品質を測定し、該移動局用の参照符号を用いて、マルチポイント協調送受信処理の対象候補であるＣｏＭＰ用送信ポイントにおける第２無線品質を測定するように構成されている測定部と、前記第１無線品質の測定結果に加えて、前記第２無線品質の測定結果を含む測定報告を送信するように構成されている送信部とを具備することを要旨とする。
【発明の効果】
【０００８】
以上説明したように、本発明によれば、ＣｏＭＰ送受信処理を開始するか否かについての判定を適切に行うための仕組みを提供する移動局を提供することができる。
【図面の簡単な説明】
【０００９】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局によって送信される「Ｍｅａｓｕｒｅｍｅｎｔ  Ｒｅｐｏｒｔ」に含まれる情報要素「Ｍｅａｓｕｒｅｍｅｎｔ  Ｒｅｓｕｌｔ」のフォーマットの一例を示す図である。
【図４】本発明の第１の実施形態に係る移動局の動作を説明するフローチャートである。
【発明を実施するための形態】
【００１０】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１１】
本実施形態に係る移動通信システムでは、ＣｏＭＰ送受信処理、特に、下りＣｏＭＰ送受信処理を行うことができるように構成されている。
【００１２】
かかる下りＣｏＭＰ送受信処理には、「ＪＴ（Ｊｏｉｎｔ  Ｔｒａｎｓｍｉｓｓｉｏｎ）」や「ＤＣＳ（Ｄｙｎａｍｉｃ  Ｃｅｌｌ  Ｓｅｌｅｃｔｉｏｎ）」や「ＣＳ/ＣＢ（Ｃｏｏｒｄｉｎａｔｅｄ  Ｓｃｈｅｄｕｌｉｎｇ/Ｂｅａｍｆｏｒｍｉｎｇ）」が含まれている。
【００１３】
ここで、「ＪＴ」は、複数のセルから、すなわち、サービングセル以外のセルからも、移動局ＵＥに対して、共有データチャネル信号を送信する処理である。
【００１４】
また、「ＤＣＳ」は、チャネル品質情報（ＣＱＩ）に基づいて、高速に、1つのセルを選択し、選択したセルから、移動局ＵＥに対して、共有データチャネル信号を送信する処理である。
【００１５】
さらに、「ＣＳ/ＣＢ」は、サービングセルと周辺セルとの間で、スケジューリングやビームフォーミングを協調する処理である。
【００１６】
図１に示すように、本実施形態に係る移動通信システムでは、セル＃１〜＃５において、ＣｏＭＰ送受信処理を提供することができるように構成されている、すなわち、セル＃１〜＃５が、ＣｏＭＰサポートエリアとなるように構成されているものとする。
【００１７】
なお、セル＃１〜＃５は、同一の無線基地局ｅＮＢによって管理されていてもよいし、異なる無線基地局ｅＮＢによって管理されていてもよい。
【００１８】
また、各セル＃１〜＃５では、ＣＲＳ（Ｃｅｌｌ  ｓｐｅｃｉｆｉｃ  Ｒｅｆｅｒｅｎｃｅ  Ｓｉｇｎａｌ）に加えて、ＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信することができるように構成されている。
【００１９】
ここで、ＣＲＳは、ＬＴＥのＲｅｌ-８/９方式で規定されている参照信号であって、各セル内の全ての移動局ＵＥに対して共通に設定される参照信号である。
【００２０】
一方、ＣＳＩ-ＲＳは、ＬＴＥのＲｅｌ-１０方式で規定されている参照信号であって、ＲＲＣ（Ｒａｄｉｏ  Ｒｅｓｏｕｒｃｅ  Ｃｏｎｔｒｏｌ）メッセージを用いて移動局ＵＥごとに個別に設定される参照信号である。
【００２１】
ＣＳＩ-ＲＳは、ＣｏＭＰ用送信ポイント（ＣｏＭＰ送受信処理の対象候補）やサービングセルや周辺セル（ハンドオーバ先候補）等の品質測定処理のために用いられてもよいし、ＣｏＭＰ送受信処理が行われているＣｏＭＰ用送信ポイントやサービングセルにおけるＣＱＩを測定するために用いられてもよい。
【００２２】
なお、上述の品質測定処理のために用いられるＣＳＩ-ＲＳ及び上述のＣＱＩを測定するために用いられるＣＳＩ-ＲＳは、同じものであってもよいし、異なるものであってもよい。
【００２３】
例えば、上述の品質測定処理における測定精度及び上述のＣＱＩの測定精度に対する要求条件に基づいて、上述の品質測定処理のために用いられるＣＳＩ-ＲＳ及び上述のＣＱＩを測定するために用いられるＣＳＩ-ＲＳを同じものにするか或いは異なるものにするかについて決定することができる。
【００２４】
また、ＣＳＩ-ＲＳの配置密度は、ＣＲＳの配置密度と比べて低くなるように構成されている。
【００２５】
また、セル＃１〜＃５においてＣｏＭＰ送受信処理が提供される場合、セル（ＣｏＭＰ用送信ポイント）＃１〜＃５において、同一のＰＣＩ（Ｐｈｙｓｉｃａｌ  Ｃｅｌｌ  ＩＤ）が用いられるように構成されていてもよいし、異なるＰＣＩが用いられるように構成されていてもよい。
【００２６】
本実施形態における移動通信システムでは、移動局ＵＥは、無線基地局ｅＮＢ配下のセル＃５に接続するように構成されている、すなわち、セル＃５が、移動局ＵＥのサービングセルとなるように構成されているものとする。
【００２７】
図２に示すように、移動局ＵＥは、受信部１１と、測定部１２と、送信部１３とを具備している。
【００２８】
受信部１１は、サービングセル（セル＃５）を管理する無線基地局ｅＮＢから、各種信号を受信するように構成されている。
【００２９】
例えば、受信部１１は、上述の無線基地局ｅＮＢから、「Ｍｅａｓｕｒｅｍｅｎｔ  Ｏｂｊｅｃｔ」を介して、通常の品質測定処理（ｍｅａｓｕｒｅｍｅｎｔ）の対象（周波数又はセル）の識別情報を取得するように構成されている。
【００３０】
また、受信部１１は、上述の無線基地局ｅＮＢから、ＲＲＣメッセージ等を介して、ＣｏＭＰ送受信処理の対象候補であるＣｏＭＰ用送信ポイントの識別情報及びＣＳＩ-ＲＳの設定情報を取得するように構成されている。
【００３１】
測定部１２は、受信部１１によって取得されたＣｏＭＰ用送信ポイントの識別情報及びＣＳＩ-ＲＳの設定情報を用いて、すなわち、かかるＣｏＭＰ用送信ポイントにおけるＣＳＩ-ＲＳを用いて、ＣｏＭＰ送受信処理の対象候補であるＣｏＭＰ用送信ポイントの品質測定処理を行うように構成されている。
【００３２】
また、測定部１２は、ＣＲＳを用いて、「Ｍｅａｓｕｒｅｍｅｎｔ  Ｏｂｊｅｃｔ」によって指定されている周辺セル及びサービングセルの品質測定処理を行うように構成されている。
【００３３】
なお、移動局ＵＥが、キャリアアグリゲーションによる通信を行っている場合には、測定部１２は、さらに、Ｐｃｅｌｌ及びＳｃｅｌｌの品質測定処理を行うように構成されている。
【００３４】
ここで、測定部１２は、ＣｏＭＰ送受信処理が開始される前において、ＣＲＳを用いて、サービングセルの品質測定処理（例えば、ハンドオーバを行うか否かの判定に用いるための品質測定処理）を行うように構成されていてもよいし、ＣＳＩ-ＲＳを用いて、サービングセルの品質測定処理（ＣｏＭＰ送受信処理で用いられる品質測定処理）を行うように構成されていてもよい。
【００３５】
また、測定部１２は、ＣｏＭＰ送受信処理が開始された後においても、ＣＲＳを用いて、サービングセルの品質測定処理（例えば、ハンドオーバを行うか否かの判定に用いるための品質測定処理）を行うように構成されていてもよいし、ＣＳＩ-ＲＳを用いて、サービングセルの品質測定処理（ＣｏＭＰ送受信処理で用いられる品質測定処理）を行うように構成されていてもよい。
【００３６】
送信部１３は、かかる無線基地局ｅＮＢに対して、各種信号を送信するように構成されている。
【００３７】
具体的には、送信部１３は、上述の無線基地局ｅＮＢに対して、「Ｍｅａｓｕｒｅｍｅｎｔ  Ｏｂｊｅｃｔ」によって指定されている周辺セル及びサービングセルの品質測定処理の結果（第１無線品質の測定結果）に加えて、ＣｏＭＰ送受信処理の対象候補であるＣｏＭＰ用送信ポイントの品質測定処理の結果（第２無線品質の測定結果）を含む「Ｍｅａｓｕｒｅｍｅｎｔ  Ｒｅｐｏｒｔ」を送信するように構成されている。
【００３８】
図３に、かかる「Ｍｅａｓｕｒｅｍｅｎｔ  Ｒｅｐｏｒｔ」に含まれる情報要素「Ｍｅａｓｕｒｅｍｅｎｔ  Ｒｅｓｕｌｔ」のフォーマットの一例を示す。
【００３９】
具体的には、図３に示す「Ｍｅａｓｕｒｅｍｅｎｔ  Ｒｅｓｕｌｔ」内の情報要素「ＭｅａｓＲｅｓｕｌｔＣｏｍｐＴｐＬｉｓｔ」が、ＣｏＭＰ送受信処理の対象候補であるＣｏＭＰ用送信ポイントの品質測定処理の結果を報告する情報要素である（記述Ａ参照）。
【００４０】
なお、移動局ＵＥが、キャリアアグリゲーションによる通信を行っている場合には、送信部１３は、上述の無線基地局ｅＮＢに対して、上述の第１無線品質の測定結果（Ｐｃｅｌｌの品質測定処理の結果）及び第２無線品質の測定結果に加えて、Ｓｃｅｌｌの品質測定処理の結果（第３無線品質の測定結果）を含む「Ｍｅａｓｕｒｅｍｅｎｔ  Ｒｅｐｏｒｔ」を送信するように構成されていてもよい。
【００４１】
具体的には、図３に示す「Ｍｅａｓｕｒｅｍｅｎｔ  Ｒｅｓｕｌｔ」内の情報要素「ｍｅａｓＲｅｓｕｌｔＳｃｅｌｌ-ｒ１０」が、Ｓｃｅｌｌの品質測定処理の結果を報告する情報要素である（記述Ｂ参照）。
【００４２】
以下、図４を参照して、本実施形態に係る移動局ＵＥの動作について説明する。
【００４３】
図４に示すように、ステップＳ１０１において、移動局ＵＥは、無線基地局ｅＮＢ配下のセル＃５において、ＲＲＣコネクションを確立する、すなわち、Ｉｄｌｅ状態からＣｏｎｎｅｃｔｅｄ状態に遷移する。
【００４４】
ステップＳ１０２において、移動局ＵＥは、サービングセルにおけるＣＲＳを用いて、サービングセルの品質測定処理を行い、無線基地局ｅＮＢに対して、かかる測定結果を含む「Ｍｅａｓｕｒｅｍｅｎｔ  Ｒｅｐｏｒｔ」を送信する。
【００４５】
ここで、移動局ＵＥは、キャリアアグリゲーションによる通信を開始した場合、Ｐｃｅｌｌの品質測定処理に加えて、Ｓｃｅｌｌの品質測定処理を行い、無線基地局ｅＮＢに対して、かかる測定結果を含む「Ｍｅａｓｕｒｅｍｅｎｔ  Ｒｅｐｏｒｔ」を送信する。
【００４６】
また、移動局ＵＥは、「Ｔｒａｎｓｍｉｓｓｉｏｎ  Ｍｏｄｅ  ９」で運用されている場合、サービングセルにおけるＣＳＩ-ＲＳを用いて、サービングセルにおけるＣＱＩを測定し、かかる測定結果について無線基地局ｅＮＢに対して報告してもよい。
【００４７】
移動局ＵＥは、ステップＳ１０３において、無線基地局ｅＮＢによってＣｏＭＰ送受信処理の対象候補であるＣｏＭＰ用送信ポイントにおけるＣＳＩ-ＲＳが設定された場合、ステップＳ１０４において、かかるＣｏＭＰ用送信ポイントにおけるＣＳＩ-ＲＳを用いて、ＣｏＭＰ用送信ポイントの品質測定処理を行い、かかる測定結果を含む「Ｍｅａｓｕｒｅｍｅｎｔ  Ｒｅｐｏｒｔ」を送信する。
【００４８】
かかる「Ｍｅａｓｕｒｅｍｅｎｔ  Ｒｅｐｏｒｔ」には、ＣｏＭＰ用送信ポイントの品質測定処理の結果に加えて、上述のサービングセルの品質測定処理の結果（Ｐｃｅｌｌの品質測定処理の結果）やＳｃｅｌｌの品質測定処理の結果が含まれるものとする。
【００４９】
なお、移動局ＵＥは、ＣｏＭＰ送受信処理が開始された後、かかるＣｏＭＰ用送信ポイントにおけるＣＳＩ-ＲＳを用いて、かかるＣｏＭＰ用送信ポイントにおけるＣＱＩを測定し、かかる測定結果について無線基地局ｅＮＢに報告する。
【００５０】
また、移動局ＵＥは、「Ｍｅａｓｕｒｅｍｅｎｔ  Ｏｂｊｅｃｔ」によってサービングセルのＣＳＩ-ＲＳの設定情報が通知された場合には、かかるサービングセルのＣＳＩ-ＲＳを用いて、サービングセルの品質測定処理を行ってもよい。
【００５１】
本実施形態に係る移動通信システムによれば、移動局ＵＥは、無線基地局ｅＮＢに対して、「Ｍｅａｓｕｒｅｍｅｎｔ  Ｒｅｐｏｒｔ」によって、サービングセルの品質測定処理の結果（Ｐｃｅｌｌの品質測定処理の結果）やＳｃｅｌｌの品質測定処理の結果に加えて、ＣｏＭＰ送受信処理の対象候補であるＣｏＭＰ用送信ポイントの品質測定処理の結果を報告するように構成されているため、無線基地局ｅＮＢは、かかる測定結果に基づいて、ＣｏＭＰ送受信処理を開始すべきか否か、或いは、どのＣｏＭＰ用送信ポイントを用いてどのタイプのＣｏＭＰ送受信処理を開始するかについて決定することができる。
【００５２】
以上に述べた本実施形態の特徴は、以下のように表現されていてもよい。
【００５３】
本実施形態の第１の特徴は、移動局ＵＥであって、移動局ＵＥのサービングセルを管理する無線基地局ｅＮＢからの指示に基づいて、ＣＲＳ（各セル用の参照符号）を用いて、かかるサービングセル及び周辺セルにおける第１無線品質を測定し、ＣＳＩ-ＲＳ（移動局用の参照符号）を用いて、ＣｏＭＰ送受信処理（マルチポイント協調送受信処理）の対象候補であるＣｏＭＰ用送信ポイントにおける第２無線品質を測定するように構成されている測定部１２と、第１無線品質の測定結果に加えて、第２無線品質の測定結果を含む「Ｍｅａｓｕｒｅｍｅｎｔ  Ｒｅｐｏｒｔ（測定報告）」を送信するように構成されている送信部１３とを具備することを要旨とする。
【００５４】
本実施形態の第１の特徴において、測定部１２は、無線基地局ｅＮＢからの指示に基づいて、ＣＲＳを用いて、キャリアアグリゲーションにおけるＳｃｅｌｌにおける第３無線品質を測定するように構成されており、送信部１３は、第１無線品質の測定結果及び第２無線品質の測定結果に加えて、第３無線品質の測定結果を含む「Ｍｅａｓｕｒｅｍｅｎｔ  Ｒｅｐｏｒｔ」を送信するように構成されていてもよい。
【００５５】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ｅＮＢ…無線基地局
ＵＥ…移動局
１１…受信部
１２…測定部
１３…送信部
【図１】
0005864191.tif 000002
【図２】
0005864191.tif 000003
【図３】
0005864191.tif 000004
【図４】
0005864191.tif 000005